(57)【要約】【課題】  折戸開閉装置において、ガイドレール内の掃除がし易く、しかも折戸が傾かないように軸受を安定した状態で取り付け可能とすること。【解決手段】  ガイドレール３に固定された軸受７は、折戸のピボット軸６を回転自在に支持する。ガイドレール３は、軸受７を装着するための凹状の溝２０を有する。溝２０内に、溝２０中央に向かって突出する突部２１を長手方向に沿って延設する。この突部２１は、溝２０の対向する側面のうち一方の側面のみに設ける。軸受７の突部２１より下側部分の幅及び高さは、溝２０の幅及び溝２０の底面から突部２１の下面までの高さにほぼ等しく設定する。【選択図】  図９
2005314951.tif 000002
【特許請求の範囲】
【請求項１】
吊元側及び戸先側にピボット軸がそれぞれ設けられている折戸と、吊元側のピボット軸を回転自在に支持するための軸受と、軸受が固定されると共に、戸先側のピボット軸をスライド自在に案内するためのガイドレールと、を備えており、軸受を介して折戸をガイドレールに対して取り付けるための構造であって、
上記ガイドレールには、上記軸受を装着するための凹状の溝が形成されており、
この溝内には、当該溝中央に向かって突出する突部が長手方向に沿って延設されており、
この突部は、上記溝の対向する側面のうち一方の側面に設けられており、
上記軸受は、上記突部を挟み込むようにして上記ガイドレールに固定されており、
上記軸受の上記突部より下側部分の幅及び高さは、上記溝の幅及び溝の底面から上記突部までの高さにほぼ等しく設定されていることを特徴とする折戸の取付構造。
【請求項２】
上記溝の隅には、丸みがつけられていることを特徴とする請求項１記載の折戸の取付構造。
【請求項３】
上記軸受は、ボルトによって上記ガイドレールに固定されるものであって、当該軸受には、ボルト挿通孔が形成されており、
この挿通孔の周縁には、上記ボルトの頭部と接触する凹凸が半径方向に形成されていることを特徴とする請求項１又は２に記載の折戸の取付構造。
【請求項４】
請求項１乃至３の何れかに記載の取付構造によって開閉自在に設けられる折戸であって、
上記ピボット軸を出入り可能に支持するためのケースと、
このケース内において上記ピボット軸の端面に当接した状態で設けられており、当該ピボット軸を外側に向かって付勢するための弾性部材と、を備えていることを特徴とする折戸。
【請求項５】
請求項１乃至３の何れかに記載の取付構造によって折戸を開閉自在に枠体に取り付ける折戸開閉装置であって、
上記枠体には、上下のガイドレールが設けられており、
上記各ガイドレールの溝内には、上記軸受が固定されており、
上記折戸の吊元側のピボット軸は、上記軸受に支持されており、
上記戸先側のピボット軸が上記ガイドレールの突部に摺接して、上記折戸が上記ガイドレールに沿って開閉することを特徴とする折戸開閉装置。
【発明の詳細な説明】
【技術分野】
【０００１】
本発明は、クローゼット等の家具や浴室の開口部に開閉自在に設けられる、折戸の取付構造、折戸及び折戸開閉装置に関する。
【背景技術】
【０００２】
一般に、上記折戸開閉装置では、開口部に嵌め込まれた枠体に対して上下のガイドレールが固定され、これら上下のガイドレール間に折戸が開閉自在に取り付けられる。折戸の吊元側戸板及び戸先側戸板には、それぞれ、上下一対のピボット軸が設けられている。吊元側戸板のピボット軸は、ガイドレールに固定された軸受に回転自在に支持される。他方、戸先側戸板のピボット軸は、ガイドレール内をスライドする。
【０００３】
この種の折戸開閉装置の典型的な例としては、特許文献１にて提案されているものを挙げることができる。
【０００４】
かかる特許文献１に開示されている折戸開閉装置では、図１４に示すように、ガイドレール１０００は、凹状の溝２０００を有しており、この溝２０００内の上部両側には、突部３０００が対向して設けられている。軸受４０００は、突部３０００を挟み込むようにして溝２０００内に装着される。戸先側ピボット軸（図示せず）は、突部３０００の表面に摺接して、折戸（図示せず）がガイドレール１０００に沿って開閉する。
【０００５】
【特許文献１】特開平１０−２３１６５５号公報
【発明の開示】
【発明が解決しようとする課題】
【０００６】
上記特許文献１に係る折戸開閉装置では、ガイドレール１０００は、上面が開放された構造となっている。そのため、特に、下側のガイドレールでは、溝２０００内にごみが溜まり易い。ところが、溝２０００内には、両側から突部３０００が当該溝２０００の中央に向かって突出しており、溝２０００の開口の幅が狭くなっている。そのため、溝２０００内のごみを掃除するときには、ブラシ等が入り難く、掃除しづらい。
【０００７】
そこで、掃除し易い構造を有するガイドレールの提供が望まれている。この要望に応えるため、単に、溝内の一対の突部のうちの一方の突部を排除して、溝の開口を広くすることが考えられるが、このような構造を採用した場合には、軸受の取り付けが不安定になり、結果的に折戸が傾く虞があるのが実情である。
【０００８】
本発明は、上記技術的課題に鑑みなされたもので、掃除がし易く、しかも折戸が傾かないように軸受を安定した状態で取り付けることができる、折戸の取付構造、折戸及び折戸開閉装置を提供することを目的とする。
【課題を解決するための手段】
【０００９】
第１の観点に係る発明は、吊元側及び戸先側にピボット軸がそれぞれ設けられている折戸と、吊元側のピボット軸を回転自在に支持するための軸受と、軸受が固定されると共に、戸先側のピボット軸をスライド自在に案内するためのガイドレールと、を備えており、軸受を介して折戸をガイドレールに対して取り付けるための構造であって、上記ガイドレールには、上記軸受を装着するための凹状の溝が形成されており、この溝内には、当該溝中央に向かって突出する突部が長手方向に沿って延設されており、この突部は、上記溝の対向する側面のうち一方の側面に設けられており、上記軸受は、上記突部を挟み込むようにして上記ガイドレールに固定されており、上記軸受の上記突部より下側部分の幅及び高さは、上記溝の幅及び溝の底面から上記突部までの高さにほぼ等しく設定されている。
【００１０】
また、上記溝の隅には、丸みがつけられている。さらに、上記軸受は、ボルトによって上記ガイドレールに固定されるものであって、当該軸受には、ボルト挿通孔が形成されており、この挿通孔の周縁には、上記ボルトの頭部と接触する凹凸が半径方向に形成されている。
【００１１】
第２の観点に係る発明は、上記の取付構造によって開閉自在に設けられる折戸であって、上記ピボット軸を出入り可能に支持するためのケースと、このケース内において上記ピボット軸の端面に当接した状態で設けられており、当該ピボット軸を外側に向かって付勢するための弾性部材と、を備えている。
【００１２】
第３の観点に係る発明は、上記の取付構造によって折戸を開閉自在に枠体に取り付ける折戸開閉装置であって、上記枠体には、上下のガイドレールが設けられており、上記各ガイドレールの溝内には、上記軸受が固定されており、上記折戸の吊元側のピボット軸は、上記軸受に支持されており、上記戸先側のピボット軸が上記ガイドレールの突部に摺接して、上記折戸が上記ガイドレールに沿って開閉する。
【発明の効果】
【００１３】
（１）ガイドレールの溝に、軸受を固定するための突部を片側にのみ設けることによって、両側に突部を設ける場合に比べて、溝の開口の幅を広くできる。そのため、溝内にブラシ等の清掃用具を入れ易くなり、溝内の掃除を容易に行える。加えて、軸受の突部より下側部分の幅及び高さを、溝の幅及び溝の底面から突部までの高さにほぼ等しく設定することにより、軸受は、溝の底面及び側面と接触可能な状態でガイドレールに保持される。このように、軸受は、溝の両側面と隙間が殆どない状態にあるので、軸受は傾くことはなく、軸受の安定性が得られる。したがって、折戸の開閉に伴ってピボット軸に外力が掛かっても軸受は傾かず、ピボット軸の直立性が保たれる。その結果、折戸をスムーズに開閉することができる。すなわち、ガイドレールの溝の開口を広くして、溝内を掃除し易い構造にすることができ、しかも、このような構造を採用しても、傾いたり或いはずれたりしないにように軸受を安定的に取り付けることができ、結果的に折戸のスムーズな開閉を行える折戸開閉装置を実現できる。
【００１４】
（２）溝の隅に丸みをつけておくことによって、溝の隅にごみが溜まりにくく、ごみが溝の中央に寄ってくるようになる。その結果、ごみを容易に取り除くことができる。
【００１５】
（３）軸受のボルト挿通孔の周縁に、ボルト頭部と接触する凹凸を半径方向に形成することによって、ボルトと凹凸との間に摩擦抵抗が働き、この凹凸がワッシャとして機能することになる。その結果、ワッシャを介在させることなく、ボルトの緩みを防ぐことができる。これは、折戸開閉装置全体の軽量化及び低廉化に貢献するものである。
【００１６】
（４）ケース内において弾性部材によってピボット軸を外側に向かって付勢することによって、ピボット軸の折戸からの出し入れがスムーズになり、ピボット軸を軸受に対して軽く嵌めたり或いは出したりすることができる。この点においても、折戸の開閉の円滑化を担保することができる。
【発明を実施するための最良の形態】
【００１７】
以下、本発明の実施の形態を添付図面に基づき詳細に説明する。
【００１８】
図１を参照して、本実施の形態に係る折戸開閉装置は、家具や浴室等の開口部に嵌め込まれた枠体１に折戸２が開閉自在に取り付けられている。
【００１９】
枠体１は、上枠１Ａ、下枠１Ｂ及び左右一対の縦枠１Ｃ，１Ｄから構成されている。上枠１Ａの下面及び下枠１Ｂの上面には、それぞれ、ガイドレール３が取り付けられる。これら上側及び下側のガイドレール３の間には、折戸２が装着される。
【００２０】
折戸２は、２枚の戸板４から構成されており、各戸板４は、複数の蝶番（図示せず）によって折り畳み自在に連結されている。したがって、図１において２点鎖線で示すように、折戸２は、Ｖ字状に折り畳まれることによって開成される。
【００２１】
吊元側及び戸先側の各戸板４の端部には、それぞれ、上下一対のピボット軸６，６及び６，６′が設けられている。他方、上側及び下側の各ガイドレール３の両端には、それぞれ、吊元側軸受７，８及び戸先側軸受７，７（図６及び図１０〜図１２参照）が装着されている。
【００２２】
図８を参照して、吊元側の下ピボット軸６′は、吊元側の下軸受８を介して下側のガイドレール３に回転自在に取り付けられる。他方、吊元側の上ピボット軸６は、吊元側の上軸受７を介して上側のガイドレール３に回転自在に取り付けられる。
【００２３】
図７を参照して、戸先側の上下ピボット軸６，６は、上下のガイドレール３に沿って移動可能とされる。
【００２４】
すなわち、折戸２を開閉するとき、吊元側の上下ピボット軸６，６′を支点として戸先側戸板４を左右方向に移動させる。これによって、上記開口部が開成或いは閉成される。折戸２を閉じたときには、戸先側の上下ピボット軸６，６は、戸先側の上下軸受７，７に嵌まり込んで保持される。
【００２５】
図２及び図３を参照して、吊元側の上下ピボット軸６，６及び戸先側の上ピボット軸６は、それぞれ、吊元側及び戸先側の各戸板４に対して出入り可能とされている。具体的には、戸板４に嵌め込まれるケース１０に、上記ピボット軸６は上下動自在に支持される。ピボット軸６の先端側には、ガイドローラー１１が回転自在に嵌合されている。ピボット軸６の後部には、パッキン１２が外装されており、このパッキン１２に対して、ピボット軸６はスライド自在とされる。ピボット軸６の頭部は、パッキン１２の内径よりも大径に設定されており、それによって当該ピボット軸６はパッキン１２から抜け出さないようになっている。
【００２６】
上記パッキン１２の外周には、鉤形の係合爪１３が形成されており、先端には、フランジ１４が形成されている。他方、上記ケース１０は、有底状の筒であって、その内周面には、上記爪１３が係合する孔１５が形成されている。ケース１０の先端側には、フランジ１４を嵌合するために大径に形成されている。これによって、パッキン１２は、ケース１０からはみ出さないように固定される。ケース１０内には、ピボット軸６を外側に向かって付勢するためのコイルばね１６が設けられている。このばね１６の一端は、ピボット軸６の頭部の端面に当接しており、他端は、ケース１０の底面に当接している。
【００２７】
上記の保持構造によって、吊元側の上ピボット軸６及び戸先側の上下ピボット軸６，６は、それぞれ、吊元側及び戸先側の各戸板４に対してスムーズに出入りすることになる。そのため、折戸２の開閉時の振動を吸収できる。その結果、折戸２のスムーズな開閉を行える。
【００２８】
また、吊元側の上ピボット軸６及び戸先側の上下ピボット軸６，６の頭部端面にばね１６を当接させることによって、当該各ピボット軸６の軸長を短くすることができると共に、当該各ピボット軸６を支持するパッキン１２の軸方向の長さを長くできる。そのため、折戸２の開閉時に吊元側の上ピボット軸６及び戸先側の上下ピボット軸６，６に異常な力が掛かっても、当該各ピボット軸６が傾き難くなる。その結果、折戸２が開閉し易くなる。
【００２９】
図４を参照して、吊元側の下ピボット軸６′は、吊元側戸板４に対して出入り可能とされている。具体的には、戸板４に嵌め込まれるケース１０′に、ピボット軸６′は上下動自在に支持される。この上下動自在なピボット軸６′には、かしめワッシャ１１′及びフランジ付きナット１２′が挿通され、これらワッシャ１１′及びナット１２′の両者は、かしめリング１３′によって上記ケース１０′の下端部のフランジに外側からかしめ付けられている。したがって、ピボット軸６′は、ケース１０′から脱落することなない。
【００３０】
ケース１０′は、有底状の筒であって、その内部には、ピボット軸６′を外側に向かって付勢するためのスプリングピン１４′が設けられている。このスプリングピン１４′の一端は、ピボット軸６′の頭部の端面に当接しており、他端は、ケース１０のキャップ（底面）に当接している。
【００３１】
上記の保持構造によって、吊元側の下該ピボット軸６′は、吊元側戸板４に対してスムーズに出入りすることになる。そのため、折戸２の開閉時の振動を吸収できる。その結果、折戸２のスムーズな開閉を行える。また、上記の下ピボット軸６′に異常な力が掛かっても、当該ピボット軸６′が傾き難くなり、結果として、折戸２が開閉し易くなる。
【００３２】
図５を参照して、ガイドレール３は、アルミニウム押出型材から成り、戸先側の上下ピボット軸６，６をスライド自在に案内すると共に、戸先側の上下軸受７，７及び吊元側の上下軸受７，８を装着するための凹状の溝２０を有している。この溝２０内には、その中央に向かって突出した突部２１が設けられている。この突部２１は、溝２０の対向する側面の一方の側面のみに形成されており、且つ、ガイドレール３の長手方向に沿って延設されている。このように、溝２０内の突部２１が片側にしかないので、当該突部が両側にある場合に比べて、溝２０の開口が広くなる。そのため、溝２０内にブラシ等の清掃用具が入り易くなる。その結果、溝２０内の掃除が容易となる。なお、上側及び下側のガイドレール３同士は、互いに同じ形状を有している。
【００３３】
加えて、上記ガイドレール３の溝２０の底面の両側の隅には、角がなく、丸みがつけられている。それゆえ、溝２０内にごみが入っても、溝２０の隅には溜まらず、ごみが溝２０の中央に寄り易くなる。したがって、ガイドレール３の掃除が容易となる。
【００３４】
折戸２の開閉操作に伴って、戸先側の上下ピボット軸６，６は、ガイドレール３の突部２１に沿って移動する。換言すると、戸先側の上下ピボット軸６，６のガイドローラー１１が突部２１に摺接する。このとき、ガイドローラー１１の外径は、ガイドレール３の内側の幅より若干小さく設定されているので、ガイドローラー１１の外周面がガイドレール３の突部２１よりも上側部分の側面に接触して転動する。
【００３５】
図６〜図９を参照して、戸先側の上下軸受７，７は、ボルト１００及び板ナット２００の両者を介して上側及び下側のガイドレール３の一端に取り付けられる。同様に、吊元側の上軸受７は、ボルト１００及び板ナット２００の両者を介して上側のガイドレール３の他端に取り付けられる。軸受７は、上記ピボット軸６を保持し軸受本体として機能する受体２５と、この受体２５のの移動を規制するためのストッパー２６とを備えている。
【００３６】
受体２５は、上記ピボット軸６を受けるための受け部３０と、この受け部３０の後側に延設されており、上記ピボット軸６を受け部３０に導くための傾斜部３１と、受け部３０の前側に延設されている折曲部３２とを備えている。これら受け部３０、傾斜部３０及び折曲部３２は、一体的に成形されている。
【００３７】
傾斜部３１は、上記溝２０の底面近くから上記突部２１の上面まで達する傾斜面を構成している。この傾斜部３１の幅は、上記ピボット軸６の先端の直径とほぼ同寸に設定されている。それゆえ、上記傾斜部３１は、軸受７をガイドレール３に装着したときには、上記ガイド溝２０の突部２１に接触しない。他方、傾斜部３１の途中部は、Ｕ字状に折り曲げられており、この折曲部分の曲げ支点が、軸受７をガイドレール３に装着したときにその溝２０の底面に当接する。
【００３８】
受け部３０は、平板状に形成されており、その幅は、上記溝２０の幅とほぼ同寸に設定されている。それゆえ、軸受７をガイドレール３に装着したときには、受け部３０は、上記突部２１の上面に当接する。この受け部３０には、上記ピボット軸６が嵌まり込む受け孔３３が貫通して形成される。この受け孔３３より後寄りの受け部３０の両外縁には、一対のガイド片３４が形成されている。これらのガイド片３４は、前方に向かって滑らかに隆起しており、上記ピボット軸６のガイドローラー１１に接触可能とされている。各ガイド片３４は、折戸２を閉じるときには、上記ピボット軸６を上記ケース１０のばね１６を短縮させて受け孔３３に案内すると共に、上記ピボット軸６が受け孔３３に嵌め込まれているときには、ガイドローラー１１に当接して、当該ピボット軸６が衝撃等によって容易に受け孔３３から抜けないようにするための部材である。
【００３９】
折曲部３２は、Ｌ字状に折り曲げられている。この折曲部３２の垂直部分の幅は、上記溝２０の幅とほぼ同寸に設定されており、水平部分の幅は、上記溝２０の幅より狭く設定されている。折曲部３２の水平部分は、軸受７をガイドレール３に装着したときには、上記ガイド溝２０の底面に当接する。折曲部３０の垂直部分の高さは、上記溝２０の底面から上記突部２１の下面までの高さにほぼ等しいか或いは少し低く設定されている。折曲部３２の底面側の角には、上記溝２０の隅の丸みに合わせて面取りが施されている。このように、上記軸受７では、その戸先側にＬ字形の折曲部３２を設けることによって、当該軸受７の強度がアップし、上記ピボット軸６から受ける荷重に十分に耐えることができる。そのため、上記軸受７の肉厚を薄くすることが可能となる。その結果、上記軸受７の軽量化及び材料の低減による低コスト化を図れる。
【００４０】
ストッパー２６は、上記溝２０の底面側に向かって折り曲げられ、それによってＬ字状に形成されている。このストッパー２６の水平部分の幅は、軸受７の受け部３０と同幅に設定されており、他方垂直部分の幅は、上記溝２０の幅より大きく、且つ、上記ガイドレール３の幅にほぼ等しく設定されている。
【００４１】
戸先側の上下軸受７，７を上側及び下側のガイドレール３に装着する際には、ストッパー２６の水平部分は、受け部３０に重ねられ、垂直部分は、ガイドレール３の一端側の端面よりも外側に位置する。ストッパー２６の水平部分及び受け部３０には、それぞれ、長孔３５が互いの長手方向に沿って形成されている。これらの長孔３５に差し込まれたボルト１００及び板ナット２００によって、上記ストッパー２６と上記受体２５とが連結される。それゆえ、上記受体２５が吊元側にスライドした場合には、上記ストッパー２６が上記ガイドレール３の一端側端面に当接し、これによって当該受体２５のスライドが規制される。このとき、板ナット２００の爪２０１が上記軸受７の軸受本体（受体）２５に食い込む。
【００４２】
上記の戸先側の上下軸受７，７を上側及び下側のガイドレール３に装着した状態において、当該ガイドレール３の溝２０の底面に対して、傾斜部３１の一部と折曲部３２とが左右で接触することにより荷重を受ける。このとき、上側のガイドレール３では、上記ガイド溝２０の突部２１より下側には折曲部３２が位置する一方、上記突部２１より上側には受け部３０が位置することになる。他方、下側のガイドレール３では、上記ガイド溝２０の突部２１より上側には折曲部３２が位置する一方、上記突部２１より下側には受け部３０が位置することになる。これによって、上記軸受７は、上記突部２１を上下から挟み込むことになる。この状態で、受け部３０及びストッパー２６の両者の長孔３５に差し込まれたボルト１００と、溝２０内に入れられた板ナット２００とによって、上記突部２１及び軸受７が挟みつけられる。その結果、上記軸受７が上記ガイドレール３に固定される。
【００４３】
他方、吊元側の上軸受７を上側のガイドレール３に装着する際には、ストッパー２６の水平部分は受け部３０に重ねられ、垂直部分はガイドレール３の他端側の端面よりも外側に位置する。ストッパー２６の水平部分及び受け部３０には、それぞれ、長孔３５が互いの長手方向に沿って形成されている。これらの長孔３５に差し込まれたボルト１００及び板ナット２００によって、上記ストッパー２６と上記受体２５とが連結される。それゆえ、上記受体２５が戸先側にスライドした場合には、上記ストッパー２６がガイドレール３の他端側端面に当接し、これによって当該受体２５のスライドが規制される。このとき板ナット２００の爪２０１が上記軸受本体２５に食い込む
【００４４】
上記の戸先側の上軸受７を上側のガイドレール３に装着した状態において、当該ガイドレール３の溝２０の底面に対して、傾斜部３１の一部と折曲部３２とが左右で接触することにより荷重を受ける。このとき、上記ガイド溝２０の突部２１より上側には折曲部３２が位置し、他方上記突部２１より下側には受け部３０が位置することになる。これによって、上記軸受７は、上記突部２１を上下から挟み込むことになる。この状態で、受け部３０及びストッパー２６の両者の長孔３５に差し込まれたボルト１００と、溝２０内に入れられた板ナット２００とによって、上記突部２１及び軸受７が挟みつけられる。その結果、上記軸受７，７が上記ガイドレール３に固定される。
【００４５】
図８及び図１０〜図１２を参照して、吊元側の下軸受８は、ボルト３００及び板ナット４００を介して下側のガイドレール３の他端に取り付けられ、それによって吊元側の下ピボット軸６′を回転自在に支持するためのものであって、平板をコ字状に折り曲げた形状を呈している。すなわち、この軸受８は、上記ピボット軸６′を回転自在に支持し軸受本体として機能する水平部４０と、当該軸受８を下側のガイドレール３に装着したときに、上記ガイド溝２０の底面に当接するものであって、上記ピボット軸６′のスライド方向に関して前後一対の脚部４１とを備えている。
【００４６】
水平部４０の戸先側には、上記ピボット軸６′が嵌まり込む凹み４２が形成されており、吊元側には、ボルト挿通孔４３が形成されている。この水平部４０の幅は、上記溝２０の幅とほぼ等しく設定されており、それによって水平部４０は、軸受８がガイドレール３に装着されたときには、上記ガイド溝２０の突部２１の上面に当接する。
【００４７】
戸先側の脚部４１の上記突部２１に対応する線分上には、当該脚部４１の左右方向（戸先側の上下ピボット軸６，６′のスライド方向と直行する方向）に沿って一対の括れ４４が形成されており、これらの括れ４４より下側の部分は、上記溝２０の幅とほぼ等しく設定されている。他方、吊元側の脚部４１の幅は、上記溝２０の幅よりも小さく、且つ、上記突部２１に接触しない幅に設定されている。戸先側及び吊元側の各脚部４１の底面側の角には、上記溝２０の隅の丸みに合わせて面取りが施されている。
【００４８】
上記の吊元側の下軸受８を下ガイドレール３に装着した状態において、当該ガイドレール３の溝２０の底面に対して両脚部４１が接触することにより荷重を受ける。このとき、上記溝２０の突部２１より下側には戸先側脚部４１が位置し、他方突部２１より上側には水平部４０が位置することになる。この状態で、挿通孔４３に差し込まれたボルト３００及び溝２０内に入れられた板ナット４００によって、上記突部２１及び軸受８が挟みつけられる。その結果、上記軸受８が下ガイドレール３に固定される。このとき、板ナット４００の爪４０１が上記軸受本体４０に食い込む。
【００４９】
加えて、上記吊元側の下軸受８のボルト挿通孔４３の周縁には、ボルト４００の頭部に接触するための凹凸４５が複数箇所に形成されている。図１１に示すように、これら凹凸４５は、当該凹凸４５をワッシャとして機能させるために、水平部４０の上面を押圧加工することによって半径方向に形成された谷及び山である。このような凹凸４５に上記ボルト頭部が接触することにより、ボルト４００を締めたときには、ボルト頭部及び凹凸４５間で生じる摩擦抵抗によって当該４００ボルトの緩みを抑えることができる。そのため、ワッシャが不要となり、折戸開閉装置全体の軽量化及び低廉化に貢献する。
【００５０】
上記の戸先側の上下軸受７，７は、上側及び下側の各ガイドレール３の一端から押し込むようにして、所定の位置に固定される。他方、上記の吊元側の上下軸受７，８は、上側及び下側のガイドレール３の他端から押し込むようにして、所定の位置に固定される。その後、上記ガイドレール３に装着された軸受７，７及び軸受７，８に折戸２が取り付けられる。具体的には、吊元側において、下軸受８の凹み４２に戸板４の下ピボット軸６′が嵌め込まれる。同様に、上軸受７の受け孔３３に上ピボット軸６が嵌め込まれる。他方、戸先側戸板４の上下ピボット軸６，６は、上記溝２０の突部２１に合わせて上側及び下側のガイドレール３内に挿入される。このようにして、折戸２は、上記ガイドレール３に対して開閉自在に設けられる。
【００５１】
戸先側戸板４をガイドレール３に沿ってスライドさせると、折戸２は開閉する。折戸２を閉じると、戸先側戸板４の上下ピボット軸６，６は、戸先側の上下軸受７，７の傾斜部３１に沿いながら受け部３０の受け孔３３に向かって導かれて、当該受け部３０の受け孔３３に嵌り込む。その結果、折戸２は、閉じた状態に保持される。
【００５２】
折戸２を開閉するとき、戸先側の上下軸受７，７及び吊元側の軸受７，８には、振動等によって水平方向に力が掛かる。このとき、戸先側の軸受７，７及び吊元側の軸受７，８の上記ガイド溝２０の突部２１より下側部分を、上記ガイド溝２０の幅及びガイド溝２０の底面から上記突部２１の下面までの高さとほぼ等しく設定しているので、当該戸先側の上下軸受７，７及び吊元側の上下軸受７，８の上記突部２１より下側部分は、上記ガイドレール３の溝２０の底面及び側面に当たる。これにより、上記突部２１が片側にしかなくても、上記軸受７，７及び軸受７，８がずれたり或いは傾いたりしない。したがって、上記戸先側及び吊元側の各戸板４のピボット軸６，６及び６，６′は、上記軸受７，７及び軸受７，８に安定的に支持されることになる。その結果、折戸２の開閉をスムーズに行うことができる。
【００５３】
加えて、戸先側の軸受７，７及び吊元側の軸受７，８は、図７及び図１０によく示されているように、その幅方向の中心線Ｌ１，Ｌ２に対して線対称とされている。それゆえ、ガイドレール３の突部２１がその互いに対向する両側面のどちら側に設けられていても、同一種類の軸受７，８で対応することができる。その結果、軸受７，８の汎用性が高まる。
【００５４】
なお、本発明は、上記実施の形態に限定されるものではない。例えば、上記実施の形態においては、折戸２の開閉とは無関係に戸先側戸板４のピボット軸６が戸先側軸受７により回転自在に支持され、他方折戸２が閉められたときに吊元側戸板４のピボット軸６が吊元側軸受８により回転自在に支持される例について記載したが、上記戸先側の上下軸受７，７を排除しても、本発明の目的は十分に達成される。その他、本明細書に添付した特許請求の範囲内での種々の設計変更及び修正を加え得ることは勿論である。
【産業上の利用可能性】
【００５５】
本発明は、掃除がし易く、しかも折戸が傾かないように軸受を安定した状態で取り付けることができるゆえ、クローゼット等の家具や浴室の開口部に開閉自在に設けられる、折戸の取付構造、折戸及び折戸開閉装置として有用である。
【図面の簡単な説明】
【００５６】
【図１】本発明の実施の形態に係る折戸開閉装置の分解斜視図である。
【図２】戸先側の上下ピボット軸及び吊元側の上ピボット軸の断面図である。
【図３】戸先側の上下ピボット軸及び吊元側の上ピボット軸を分解して示す断面図である。
【図４】吊元側の下ピボット軸の断面図である。
【図５】ガイドレールの断面図である。
【図６】戸先側の上下軸受及び吊元側の上軸受の平面図である。
【図７】ガイドレールに戸先側の上下軸受を装着した状態を示しており、ガイドレールの長手方向に沿う断面図である。
【図８】ガイドレールに吊元側の上下軸受を装着した状態を示しており、ガイドレールの長手方向に沿う断面図である。
【図９】ガイドレールに戸先側の下軸受を装着した状態を示しており、ガイドレールの長手方向と直交する方向に沿う断面図である。
【図１０】吊元側の下軸受の平面図である。
【図１１】吊元側の下軸受の側面図である。
【図１２】吊元側の下軸受の正面図である。
【図１３】吊元側の下軸受のボルト挿通孔の周縁に形成された凹凸の断面図である。
【図１４】従来の折戸開閉装置のガイドレールの断面図である。
【符号の説明】
【００５７】
２  折戸
３  ガイドレール
６，６′  ピボット軸
７，８  軸受
１０，１０′  ケース
１２  パッキン
１４′  スプリングピン
１６  コイルばね
２０  溝
２１  突部
２５  受体
２６  ストッパー
３０  受け部
３１  傾斜部
３２  折曲部
４０  水平部
４１  脚部
４３  ボルト挿通孔
４５  凹凸
１００，３００  ボルト
２００，４００  板ナット
Ｌ１，Ｌ２  中心線
【図１】
2005314951.tif 000003
【図２】
2005314951.tif 000004
【図３】
2005314951.tif 000005
【図４】
2005314951.tif 000006
【図５】
2005314951.tif 000007
【図６】
2005314951.tif 000008
【図７】
2005314951.tif 000009
【図８】
2005314951.tif 000010
【図９】
2005314951.tif 000011
【図１０】
2005314951.tif 000012
【図１１】
2005314951.tif 000013
【図１２】
2005314951.tif 000014
【図１３】
2005314951.tif 000015
【図１４】
2005314951.tif 000016